(57)【要約】【課題】動作条件の変更が不要なジョブについては、確認用および変更用の画面の表示を要することなく、またスタート釦の操作を要することもなく、直ちにジョブを開始することができ、これによりユーザの待ち時間が短縮されるなど、利便性の向上が図れる画像形成装置およびその制御方法を提供する。【解決手段】テンプレート釦１７が押圧操作されたとき、各テンプレート情報に対応するテンプレート表示パターンが液晶表示部１０で一覧表示される。表示された各テンプレート表示パターンのうち、ユーザにより選択されるテンプレート表示パターンに対応するテンプレート情報の指定情報が自動スタートの有効および無効のどちらを指定しているか、判定される。この判定結果が有効の指定であれば、選択されたテンプレート表示パターンに対応するテンプレート情報のジョブが、即時に実行される。【選択図】図１７
2007266745.tif 000002
【特許請求の範囲】
【請求項１】
表示部と、
スタート釦およびテンプレート釦と、
複数のジョブの動作条件、およびその各ジョブの自動スタートが有効および無効のどちらであるかを指定するための指定情報を、ジョブごとのテンプレート情報として、記憶する記憶手段と、
前記テンプレート釦の操作に応じて、前記記憶手段内の各テンプレート情報に対応する各テンプレート表示パターンを前記表示部で表示する第１制御手段と、
前記表示部で表示される各テンプレート表示パターンのうち、ユーザにより選択されるテンプレート表示パターンに対応するテンプレート情報の指定情報が、有効および無効のどちらの指定であるかを判定する判定手段と、
前記判定手段の判定結果が有効の指定である場合に、前記選択されるテンプレート表示パターンに対応するテンプレート情報のジョブを即時に実行する第２制御手段と、
前記判定手段の判定結果が無効の指定である場合に、前記選択されるテンプレート表示パターンに対応するテンプレート情報の確認用および変更用の画面を前記表示部で表示するとともに、そのテンプレート情報のジョブを前記スタート釦の操作に応じて実行する第３制御手段と、
を備えていることを特徴とする画像形成装置。
【請求項２】
前記表示部、前記スタート釦、および前記テンプレート釦を有するコントロールパネル、をさらに備えていることを特徴とする請求項１に記載の画像形成装置。
【請求項３】
前記スタート釦は、スタート釦であることを表わすアイコンの表示パターンを有し、
前記各テンプレート表示パターンのうち、有効の指定情報を有するテンプレート情報に対応するテンプレート表示パターンは、前記スタート釦の表示パターンと同じ表示パターンを含んでいる、
ことを特徴とする請求項１に記載の画像形成装置。
【請求項４】
前記第１制御手段は、前記テンプレート釦が操作された場合に、前記記憶手段内の各テンプレート情報に対応するテンプレート表示パターンの一覧画面を前記表示部で表示することを特徴とする請求項１に記載の画像形成装置。
【請求項５】
前記表示部は、タッチパネル式の液晶表示部であり、
前記判定手段は、前記液晶表示部で表示される各テンプレート表示パターンのうち、ユーザのタッチ操作により選択されるテンプレート表示パターンに対応するテンプレート情報の指定情報が、有効および無効のどちらの指定であるかを判定する、
ことを特徴とする請求項１に記載の画像形成装置。
【請求項６】
前記第３制御手段は、前記判定手段の判定結果が無効の指定である場合に、ユーザにより入力されるパスワードが適正であることを条件に、前記選択されるテンプレート表示パターンに対応するテンプレート情報の確認用および変更用の画面を前記表示部で表示し、そのテンプレート情報のジョブを前記スタート釦の操作に応じて実行することを特徴とする請求項１に記載の画像形成装置。
【請求項７】
表示部、スタート釦、およびテンプレート釦を備えた画像形成装置において、
複数のジョブの動作条件、およびその各ジョブの自動スタートが有効および無効のどちらであるかを指定するための指定情報を、ジョブごとのテンプレート情報として、記憶する第１ステップと、
前記テンプレート釦の操作に応じて、前記記憶手段内の各テンプレート情報に対応する各テンプレート表示パターンを前記表示部で表示する第２ステップと、
前記表示部で表示される各テンプレート表示パターンのうち、ユーザにより選択されるテンプレート表示パターンに対応するテンプレート情報の指定情報が、有効および無効のどちらの指定であるかを判定する第３ステップと、
前記判定結果が有効の指定である場合に、前記選択されるテンプレート表示パターンに対応するテンプレート情報のジョブを即時に実行する第４ステップと、
前記判定結果が無効の指定である場合に、前記選択されるテンプレート表示パターンに対応するテンプレート情報の確認用および変更用の画面を前記表示部で表示するとともに、そのテンプレート情報のジョブを前記スタート釦の操作に応じて実行する第５ステップと、
を有することを特徴とする画像形成装置の制御方法。
【請求項８】
前記表示部、前記スタート釦、および前記テンプレート釦を有するコントロールパネル、をさらに備えていることを特徴とする請求項７に記載の画像形成装置の制御方法。
【請求項９】
前記スタート釦は、スタート釦であることを表わすアイコンの表示パターンを有し、
前記各テンプレート表示パターンのうち、有効の指定情報を有するテンプレート情報に対応するテンプレート表示パターンは、前記スタート釦の表示パターンと同じ表示パターンを含んでいる、
ことを特徴とする請求項７に記載の画像形成装置の制御方法。
【請求項１０】
前記第２ステップは、前記テンプレート釦が操作された場合に、前記記憶手段内の各テンプレート情報に対応するテンプレート表示パターンの一覧画面を前記表示部で表示することを特徴とする請求項７に記載の画像形成装置の制御方法。
【請求項１１】
前記表示部は、タッチパネル式の液晶表示部であり、
前記第３ステップは、前記液晶表示部で表示される各テンプレート表示パターンのうち、ユーザのタッチ操作により選択されるテンプレート表示パターンに対応するテンプレート情報の指定情報が、有効および無効のどちらの指定であるかを判定する、
ことを特徴とする請求項７に記載の画像形成装置の制御方法。
【請求項１２】
前記第５ステップは、前記判定結果が無効の指定である場合に、ユーザにより入力されるパスワードが適正であることを条件に、前記選択されるテンプレート表示パターンに対応するテンプレート情報の確認用および変更用の画面を前記表示部で表示し、そのテンプレート情報のジョブを前記スタート釦の操作に応じて実行することを特徴とする請求項７に記載の画像形成装置の制御方法。
【発明の詳細な説明】
【技術分野】
【０００１】
この発明は、複数の機能を併せ持つ複合型の画像形成装置に関する。
【背景技術】
【０００２】
通常のコピー機能のほかに、ファクシミリ機能、スキャン機能、およびネットワークプリント機能など、複数の機能を併せ持つ複合型の画像形成装置（ＭＦＰという）がある。
【０００３】
このような複合型の画像形成装置の例として、各機能による多数のジョブの動作条件をそれぞれテンプレート情報として記憶しておき、その各テンプレート情報を表示部で表示してユーザに選択させるものがある(例えば特許文献１)。
【０００４】
ユーザは、表示される各テンプレート情報の中からいずれか１つのテンプレート情報を選択することにより、選択したテンプレート情報の内容を確認用および変更用の画面で確認および変更することができる。
【特許文献１】特開２００４―２８０１６３号公報
【発明の開示】
【発明が解決しようとする課題】
【０００５】
実行の頻度が高いジョブの場合、動作条件の確認および変更が不要なことが多い。このような状況でも、テンプレート情報が選択されると、その都度、確認用および変更用の画面が表示される。そして、確認用および変更用の画面が表示された状態で、ユーザがスタート釦を操作することにより、ジョブが開始される。
【０００６】
この発明は、上記の事情を考慮したもので、動作条件の確認および変更が不要なジョブについては、確認用および変更用の画面の表示を要することなく、しかもスタート釦の操作を要することなく、直ちにジョブを開始することができ、これによりユーザの待ち時間を短縮できるなど、利便性の向上が図れる画像形成装置およびその制御方法を提供することを目的とする。
【課題を解決するための手段】
【０００７】
請求項１に係る発明の画像形成装置は、表示部と、スタート釦およびテンプレート釦と、複数のジョブの動作条件、およびその各ジョブの自動スタートが有効および無効のどちらであるかを指定するための指定情報を、ジョブごとのテンプレート情報として、記憶する記憶手段と、上記テンプレート釦の操作に応じて、上記記憶手段内の各テンプレート情報に対応する各テンプレート表示パターンを上記表示部で表示する第１制御手段と、上記表示部で表示される各テンプレート表示パターンのうち、ユーザにより選択されるテンプレート表示パターンに対応するテンプレート情報の指定情報が、有効および無効のどちらの指定であるかを判定する判定手段と、この判定手段の判定結果が有効の指定である場合に、上記選択されるテンプレート表示パターンに対応するテンプレート情報のジョブを即時に実行する第２制御手段と、上記判定手段の判定結果が無効の指定である場合に、上記選択されるテンプレート表示パターンに対応するテンプレート情報の確認用および変更用の画面を上記表示部で表示するとともに、そのテンプレート情報のジョブを上記スタート釦の操作に応じて実行する第３制御手段と、を備えている。
【発明の効果】
【０００８】
この発明の画像形成装置およびその制御方法によれば、動作条件の確認および変更が不要なジョブについては、確認用および変更用の画面の表示を要することなく、しかもスタート釦の操作を要することなく、直ちにジョブを開始することができる。これにより、ユーザの待ち時間を短縮できるなど、利便性の向上が図れる。
【発明を実施するための最良の形態】
【０００９】
以下、この発明の一実施形態について、図面を参照して説明する。  
図１に示すように、画像形成装置の本体１の上部に原稿台２が設けられ、その原稿台２上に自動原稿送り装置（ＡＤＦ）３が開閉自在に設けられている。原稿台２と同じ高さの位置には、動作条件設定用の表示手段および操作手段として、図２に示すコントロールパネル４が設けられている。コントロールパネル４は、タッチパネル式の液晶表示部１０、テンキー１１、スタート釦１２、ファイリングボックス釦１３、スキャン釦１４、コピー釦１５、ファックス釦１６、テンプレート釦１７、設定／登録釦１８などを備えている。
【００１０】
本体１の下部には、画像形成媒体である各種サイズのペーパーシートが収容された複数のカセット５が設けられている。原稿台２の下方に、プリントされたペーパーシートの排出を受けるトレイ６が設けられている。
【００１１】
また、図３に示すように、本体１に、主制御部であるＣＰＵ２０が設けられている。このＣＰＵ２０に、ＲＡＭ２２、ＲＯＭ２３、不揮発性の管理用メモリ２４、ハードディスク装置２５、パネル制御部３１、コピー制御部３２、スキャナ制御部３３、プリンタ制御部３４、ファクシミリ（Ｆａｘ）制御部３５、ネットワーク制御部３６、および電話回線制御部３７が接続されている。  
ＲＡＭ２２は、各種データの記憶用である。ＲＯＭ２３には、本体１の動作に必要な各種制御プログラムが記憶されている。管理用メモリ２４には、テンプレート情報テーブルが記憶されている。ハードディスク装置２５には、本体１でスキャンされた画像データが記憶される。
【００１２】
パネル制御部３１は、上記コントロールパネル４を制御する。コピー制御部３２は、スキャナ３８およびプリンタ３９を用いた通常のコピー機能を制御する。スキャナ制御部３３は、スキャナ３８を用いたスキャン機能（スキャンtoボックス機能、スキャンtoファイル機能、スキャンto E-mail機能）を制御する。プリンタ制御部３４は、プリンタ３９を用いたネットワークプリント機能を制御する。
【００１３】
ネットワーク制御部３６は、ネットワークインタフェース５１を介して、通信ネットワーク４０との間のデータ送受信を制御する。通信ネットワーク４０には、外部機器たとえばパーソナルコンピュータ４１，４２が接続されている。パーソナルコンピュータ４１，４２には、それぞれ固有のＥ−ｍａｉｌアドレスが予め定められている。これらＥ−ｍａｉｌアドレスが、パーソナルコンピュータ４１，４２が設置されている会社または個人の名称（宛先名）と共に、上記管理用メモリ２４に登録されている。
【００１４】
電話回線制御部３７は、電話回線インタフェース５２を介して公衆電話回線５３との間の通信を制御する。この公衆電話回線５３により、本体１とファクシミリ装置５４との接続が可能となる。ファクシミリ装置５４には、固有の電話番号が予め定められている。この電話番号が、ファクシミリ装置５４が設置されている会社または個人の名称（宛先名）と共に、上記管理用メモリ２４に登録されている。
【００１５】
上記ファクシミリ制御部３５は、ネットワーク制御部３８および電話回線制御部３７を用いてファクシミリ送信を制御する。
【００１６】
ＣＰＵ２０は、主要な機能として、次の（１）〜（５）の手段を有している。  
（１）複数のジョブの動作条件、およびその各ジョブの自動スタートを有効とするか無効とするか指定するための指定情報を、ジョブごとのテンプレート情報として、管理用メモリ２４のテンプレート情報テーブルに記憶する記憶手段。
【００１７】
（２）テンプレート釦１７が操作された場合に、上記テンプレート情報テーブル内の各テンプレート情報に対応するテンプレート表示パターンの一覧画面を液晶表示部１０で表示する第１制御手段。
【００１８】
（３）液晶表示部１０で表示される各テンプレート表示パターンのうち、ユーザのタッチ操作により選択されるテンプレート表示パターンに対応するテンプレート情報の指定情報が、有効および無効のどちらの指定であるかを判定する判定手段。
【００１９】
（４）上記判定手段の判定結果が有効の指定である場合に、上記選択されるテンプレート表示パターンに対応するテンプレート情報のジョブを即時に実行する第２制御手段。
【００２０】
（５）上記判定手段の判定結果が無効の指定である場合に、ユーザにより入力されるパスワードが適正であることを条件に、上記選択されるテンプレート表示パターンに対応するテンプレート情報の確認用および変更用の画面を液晶表示部１０で表示するとともに、そのテンプレート情報のジョブをスタート釦１２の操作に応じて実行する第３制御手段。
【００２１】
つぎに、作用を説明する。
【００２２】
初めに、テンプレート情報の登録について説明する。
【００２３】
ユーザは、コントロールパネル４の操作により、よく使うジョブの動作条件、たとえば『コピー』『スキャン』『プリント』『ファクス』『ネットワーク…』『拡大・縮小』『プリント部数』『ペーパーシートのサイズ』『両面プリント』『モノクロプリント』『カラープリント』『スキャンの解像度』『プリントの解像度』『フィニッシャー』『ステイプル』『ホールパンチ』『ブック綴じ』などを、設定する。
【００２４】
そして、ユーザにより、テンプレート釦１７が押圧操作され、さらに設定／登録釦１８が押圧操作されると、図４に示すグループ選択画面が液晶表示部１０で表示される。
【００２５】
グループ選択画面には、『グループを選択してください（Select a GROUPE）』という説明文のほかに、呼びだし（RECALL）釦表示パターン、設定／登録（REGISTRATION）釦表示パターン、共有グループテンプレート表示パターン、お役立ちテンプレート表示パターン、複数の未登録テンプレート表示パターン、削除釦表示パターン、編集釦表示パターン、取消（CANCEL）釦表示パターン、設定釦表示パターン、次頁(NEXT)釦表示パターンなどが表示される。設定／登録釦表示パターンは点灯しており、点灯状態であることを斜線で示している。以下、同様に、点灯状態を斜線で示す。
【００２６】
このグループ選択画面において、共有グループテンプレート表示パターンがタッチ操作され、さらに設定釦表示パターンがタッチ操作されると、そのタッチ操作された共有グループテンプレート表示パターンおよび設定釦表示パターンが図５のように点灯する。続いて、液晶表示部１０の表示が、図６に示す管理者用のパスワード入力画面に切換わる。
【００２７】
このパスワード入力画面のパスワード釦パターンがタッチ操作されると、パスワード釦表示パターンが点灯し、続いて、液晶表示部１０の表示が図７に示す文字入力画面に切換わる。この文字入力画面で管理者のパスワードが入力され、かつ設定釦表示パターンがタッチ操作されると、設定釦表示パターンが点灯し、続いて、液晶表示部１０の表示が図８に示すテンプレート選択画面に切換わる。
【００２８】
テンプレート選択画面には、『テンプレートを選択してください（Select a TEPLATE）』という説明文のほかに、呼びだし釦表示パターン、設定／登録釦表示パターン、コピーモード（COPY MODE）テンプレート表示パターン、未登録の複数のテンプレート表示パターン、削除釦表示パターン、編集釦表示パターン、取消釦表示パターン、登録（SAVE）釦表示パターン、次頁釦表示パターンなどが表示される。そして、設定／登録釦表示パターンが点灯する。
【００２９】
このテンプレート選択画面において、未登録の１つのテンプレート表示パターンがタッチ操作され、さらに登録釦表示パターンがタッチ操作されると、その未登録のテンプレート表示パターンおよび登録釦表示パターンが点灯する。続いて、液晶表示部１０の表示が図９に示すテンプレート詳細入力画面に切換わる。
【００３０】
テンプレート詳細入力画面には、呼びだし釦表示パターン、設定／登録釦表示パターン、名称（NAME）釦表示パターン、所有者名（USER NAME）釦表示パターン、パスワード釦表示パターン、自動スタート（AUTOMATIC START）の有効（ENABLE）釦表示パターン、自動スタートの無効（DISABLE）釦表示パターン、『自動スタートを有効にするとアイコン上にマークが付加されます（This icon is indicated when an automatic start is enable）』の説明文、スタート釦１２に付されているアイコンの表示パターンと同じ表示パターンＳ、取消釦表示パターン、登録釦表示パターンなどが表示される。
【００３１】
このテンプレート詳細入力画面において、名称釦表示パターンがタッチ操作されると、液晶表示部１０の表示が図７の文字入力画面に切換わる。この文字入力画面でテンプレート名たとえば『COPY MODE』の文字が入力されると、液晶表示部１０の表示が図１０に示すテンプレート詳細入力画面に戻り、名称釦表示パターンの横位置に『COPY MODE』の文字が表示される。さらに、テンプレート詳細入力画面において、所有者名釦表示パターンがタッチ操作されると、液晶表示部１０の表示が図７の文字入力画面に切換わる。この文字入力画面で所有者名たとえば『GUEST』の文字が入力すると、液晶表示部１０の表示が図１０に示すテンプレート詳細入力画面に戻り、所有者名釦表示パターンの横位置に『GUEST』の文字が表示される。なお、テンプレート詳細入力画面では、イニシャルモードとして、自動スタートの無効釦表示パターンが点灯している
所有者名が入力された後、テンプレート詳細入力画面において、パスワード釦表示パターンがタッチ操作されると、パスワード釦表示パターンが点灯し、液晶表示部１０の表示が図７の文字入力画面に切換わる。この文字入力画面で任意のパスワードが入力されると、液晶表示部１０の表示が図１１のパスワード入力画面に切換わり、入力されたパスワードがパスワード釦表示パターンの横の窓内に表示される。この状態でセット釦表示パターンがタッチ操作されると、液晶表示部１０の表示が図１２のパスワード再入力画面に切換わる。このテンプレート再入力画面において、パスワード確認釦表示パターンがタッチ操作されると、パスワード確認釦表示パターンが点灯し、液晶表示部１０の表示が図７の文字入力画面に切換わる。この文字入力画面でパスワードが再入力されると、液晶表示部１０の表示が図１２のパスワード確認画面に切換わり、入力されたパスワードがパスワード確認釦表示パターンの横の窓内に表示される。この状態で設定釦表示パターンがタッチ操作されると、設定表示釦パターンが点灯し、パスワードの入力が完了する。続いて、液晶表示部１０の表示が図１３の入力確認画面に切換わる。
【００３２】
入力確認画面において、自動スタートの有効釦表示パターンがタッチ操作されると、有効釦表示パターンが点灯する。そして、登録釦表示パターンがタッチ操作されることにより、登録釦表示パターンが点灯し、テンプレート詳細入力が終了する。
【００３３】
自動スタートの有効釦表示パターンおよび無効釦表示パターンは、今回入力したテンプレート情報のジョブの自動スタートを有効とするか無効とするか指定するために用意されている。すなわち、有効釦表示パターンがタッチ操作されると、自動スタートの有効を指定するための指定情報が生じる。無効釦表示パターンがタッチ操作されると、自動スタートの無効を指定するための指定情報が生じる。
【００３４】
こうして、複数のジョブの動作条件、およびその各ジョブの自動スタートを有効とするか無効とするか指定するための指定情報が、ジョブごとのテンプレート情報として、管理用メモリ２４のテンプレート情報テーブルに登録される。登録されるテンプレート情報のフォーマットを図１４に示している。すなわち、テンプレート情報は、ジョブの名称、動作条件、および指定情報により形成される。
【００３５】
次に、テンプレート情報の選択について、図１５のフローチャートを参照しながら説明する。
【００３６】
原稿台２に原稿がセットされて、コントロールパネル４のテンプレート釦１７が押圧操作されると（ステップ１０１のＹＥＳ）、図１６に示すグループ選択画面が液晶表示部１０で表示される。このグループ選択画面には、『グループを選択してください』という説明文のほかに、呼びだし釦表示パターン、設定／登録釦表示パターン、共有グループテンプレート表示パターン、お役立ちテンプレート表示パターン、未登録の複数のテンプレート表示パターン、取消釦表示パターン、次頁釦表示パターンなどがあり、呼びだし釦表示パターンが点灯する。
【００３７】
このグループ選択画面において、共有グループテンプレート表示パターンがタッチ操作されると、その共有グループテンプレート表示パターンが点灯する。続いて、液晶表示部１０の表示が図１７に示すテンプレート表示パターンの一覧画面に切換わる（ステップ１０２）。
【００３８】
テンプレート表示パターンの一覧画面には、管理用メモリ２４のテンプレート情報テーブルに共有グループ用として登録された全てのテンプレート情報に対応する各テンプレート表示パターンが、配列して表示される。すなわち、共有グループ用のジョブとして、２つのコピーモード（COPY MODE）、１つのストア・トゥ・イーファイリングモード（STORE TO E-FILING MODE）、１つのセービング・アズ・ファイルモード（SAVING AS FILE MODE）、１つのファックスモード（FAX MODE）、１つのスキャン・トゥ・イーファイリングモード（SCAN TO E-FILING MODE）、１つのスキャン・トゥ・ファイルモード（SCAN TO FILE MODE）、１つのスキャン・トゥ・Ｅメールモード（SCAN TO E-MAIL MODE）、１つのスキャン・トゥ・ファイル・アンド・ボックスモード（SCAN TO FILE&BOX MODE）、１つのスキャン・トゥ・イーメール・アンド・ボックスモード（SCAN TO E-MAIL&BOX MODE）、１つのスキャン・トゥ・ファイル・アンド・Ｅメールモード（SCAN TO FILE& E-MAIL MODE）がある。これらジョブのテンプレート情報に対応する各テンプレート表示パターンが、液晶表示部１０に配列して表示される。
【００３９】
表示されている各テンプレート表示パターンのうち、左上隅のコピーモードのテンプレート表示パターンには、コントロールパネル４のスタート釦１２に付されているアイコンの表示パターンと同じ表示パターンＳが含まれている。この表示パターンＳは、当該コピーモードのジョブの自動スタートが有効であることの指標である。ファックスモードのテンプレート表示パターンおよびスキャン・トゥ・ファイル・アンド・ボックスのテンプレート表示パターンにも、それぞれ表示パターンＳが含まれている。
【００４０】
図１７の一覧画面において、いずれかのテンプレート表示パターンがユーザのタッチ操作により選択されると（ステップ１０３のＹＥＳ）、その選択されたテンプレート表示パターンが点灯するとともに、その選択されたテンプレート表示パターンに対応するテンプレート情報の指定情報が、自動スタートの有効および無効のどちらを指定しているか判定される（ステップ１０４）。
【００４１】
例えば、図１７のように、表示パターンＳを有するコピーモードのテンプレート表示パターンが選択された場合、そのテンプレート表示パターンに対応するテンプレート情報の指定情報は有効を指定している。判定結果は、有効の指定である（ステップ１０４のＹＥＳ）。この場合、選択されたテンプレート表示パターンに対応するテンプレート情報のジョブ（つまりコピーモード）が、即時に実行される（ステップ１０５）。
【００４２】
一方、図１８のように、表示パターンＳを有しないコピーモードのテンプレート表示パターンが選択された場合、そのテンプレート表示パターンに対応するテンプレート情報の指定情報は無効を指定している。判定結果は、無効の指定である（ステップ１０４のＮＯ）。この場合、液晶表示部１０の表示が図１９のパスワード入力画面に切換わる。
【００４３】
このパスワード入力画面において、パスワード釦表示パターンがタッチ操作されると、パスワード釦表示パターンが点灯し、続いて、液晶表示部１０の表示が図７に示す文字入力画面に切換わる。この文字入力画面でユーザのパスワードが入力され、かつ設定釦パターンがタッチ操作されると、設定釦パターンが点灯し、続いて、液晶表示部１０の表示が図１９のパスワード入力画面に戻る。このとき、入力されたパスワードが、パスワード入力画面におけるパスワード釦表示パターンの横の窓内に表示される。この状態で設定釦パターンがタッチ操作されると、入力されたパスワードが登録済みの適正なパスワードであるか否かが判定され、適正であれば、液晶表示部１０の表示が図２０に示すようなテンプレート情報の確認用および変更用の画面に切換わる。なお、入力されたパスワードが適正でなければ、ユーザにパスワードの再入力を促す画面が液晶表示部１０で表示される。
【００４４】
テンプレート情報の確認用および変更用の画面では、ユーザのタッチ操作に応じて、テンプレート情報の内容（つまりコピーモードの動作条件）が変更される（ステップ１０６）。テンプレート情報の確認用および変更用の画面が表示されている状態において、コントロールパネル４のスタート釦１２が押圧操作されると（ステップ１０７のＹＥＳ）、確認および変更の対象となったテンプレート情報のジョブ（つまりコピーモード）が実行される（ステップ１０５）。
【００４５】
以上のように、複数のジョブの動作条件、およびその各ジョブの自動スタートを有効とするか無効とするか指定するための指定情報を、ジョブごとにテンプレート情報として管理用メモリ２４のテンプレート情報テーブルに記憶しておき、テンプレート釦１７が押圧操作されたとき、上記記憶されている各テンプレート情報に対応するテンプレート表示パターンを液晶表示部１０で一覧表示し、表示した各テンプレート表示パターンのうち、ユーザにより選択されるテンプレート表示パターンに対応するテンプレート情報の指定情報が有効および無効のどちらを指定しているか判定し、この判定結果が有効の指定であれば、上記選択されるテンプレート表示パターンに対応するテンプレート情報のジョブを即時に実行するので、動作条件の確認および変更が不要なジョブについては、確認用および変更用の画面の表示を要することなく、またスタート釦１２の操作を要することもなく、直ちにジョブを開始することができる。これにより、ユーザの待ち時間が短縮されるなど、ユーザの利便性が大幅に向上する。
【００４６】
とくに、ジョブの自動スタートが有効であることの指標として、スタート釦１２に付されているアイコンの表示パターンと同じ表示パターンＳを、テンプレート表示パターンに含ませているので、自動スタートが有効および無効のどちらであるかをユーザに的確に知らせることができる。
【００４７】
なお、上記実施形態では、テンプレート情報の登録および選択を、コントロールパネル４の表示および操作によって行う場合を例に説明したが、ネットワーク接続されている外部のパーソナルコンピュータ４１，４２の表示および操作により行うことも可能である。
【００４８】
登録したテンプレート情報の内容を、コントロールパネル４あるいはパーソナルコンピュータ４１，４２の表示および操作によって変更することも可能である。
【００４９】
その他、この発明は上記実施形態に限定されるものではなく、要旨を変えない範囲で、種々変形実施可能である。
【図面の簡単な説明】
【００５０】
【図１】一実施形態の本体の外観斜視図。
【図２】一実施形態におけるコントロールパネルの構成を示す図。
【図３】一実施形態の制御回路のブロック図。
【図４】一実施形態におけるグループ選択画面を示す図。
【図５】一実施形態におけるグループ選択画面に対する操作状態を示す図。
【図６】一実施形態における管理者用のパスワード入力画面を示す図。
【図７】一実施形態における文字入力画面を示す図。
【図８】一実施形態におけるテンプレート選択画面を示す図。
【図９】一実施形態におけるテンプレート詳細入力画面を示す図。
【図１０】一実施形態におけるテンプレート詳細入力画面に情報が入力された状態を示す図。
【図１１】一実施形態におけるパスワード入力画面を示す図。
【図１２】一実施形態におけるパスワード再入力画面を示す図。
【図１３】一実施形態における入力確認画面を示す図。
【図１４】一実施形態におけるテンプレート情報のフォーマットを示す図。
【図１５】一実施形態におけるテンプレート情報の選択時の制御を説明するためのフローチャート。
【図１６】一実施形態におけるグループ選択画面を示す図。
【図１７】一実施形態におけるテンプレート表示パターンの一覧画面を示す図。
【図１８】一実施形態におけるテンプレート表示パターンの一覧画面に対する操作の一例を示す図。
【図１９】一実施形態におけるユーザ用のパスワード入力画面を示す図。
【図２０】一実施形態における確認用および変更用の画面を示す図。
【符号の説明】
【００５１】
１…本体、４…コントロールパネル、１０…液晶表示部、１２…スタート釦、１７…テンプレート釦、２０…ＣＰＵ、２４…管理用メモリ、２５…ハードディスク装置、３１…パネル制御部、３２…コピー制御部、３３…スキャナ制御部、３４…プリンタ制御部、３５…ファクシミリ制御部、３６…ネットワーク制御部、３８…スキャナ、３９…プリンタ、４０…通信ネットワーク、４１，４２…パーソナルコンピュータ
【図１】
2007266745.tif 000003
【図２】
2007266745.tif 000004
【図３】
2007266745.tif 000005
【図４】
2007266745.tif 000006
【図５】
2007266745.tif 000007
【図６】
2007266745.tif 000008
【図７】
2007266745.tif 000009
【図８】
2007266745.tif 000010
【図９】
2007266745.tif 000011
【図１０】
2007266745.tif 000012
【図１１】
2007266745.tif 000013
【図１２】
2007266745.tif 000014
【図１３】
2007266745.tif 000015
【図１４】
2007266745.tif 000016
【図１５】
2007266745.tif 000017
【図１６】
2007266745.tif 000018
【図１７】
2007266745.tif 000019
【図１８】
2007266745.tif 000020
【図１９】
2007266745.tif 000021
【図２０】
2007266745.tif 000022